(57)【要約】【課題】スロットコアにおいても通常のフェライトコアに近い内面精度を容易に実現できる偏向ヨークを備えたカラー受像管を提供する。【解決手段】偏向ヨーク４は、Ｚ軸と垂直な断面の内面形状が円形であるフェライトコア９を備えており、フェライトコア９とは別部品である複数の凸部材１１が、Ｚ軸に向かって突出し、かつ、長手方向がＺ軸を含む平面に沿うように、フェライトコア９の内面に面接触して固定されている。【選択図】　図２
2004014348.tif 000002
【特許請求の範囲】
【請求項１】
内面に蛍光体スクリーン面が形成されたパネルとファンネルとが外囲器を構成し、前記ファンネルのネック部内に電子銃が設けられ、前記ファンネルの外面に偏向ヨークが設けられたカラー受像管装置であって、
前記偏向ヨークは、Ｚ軸と垂直な断面の内面形状が円形であるフェライトコアと、前記フェライトコアに巻かれた水平コイルおよび垂直コイルと、前記水平コイルと垂直コイルとを絶縁するための絶縁体とを備えており、
前記フェライトコアとは別部品である複数の凸部材が、Ｚ軸に向かって突出し、かつ、長手方向がＺ軸を含む平面に沿うように、前記フェライトコアの内面に面接触して固定されていることを特徴とするカラー受像管装置。
【請求項２】
前記凸部材は、前記フェライトコアの内面に沿う長手部と、前記長手部の電子銃側の端部からＺ軸と垂直な方向に延びる折れ曲がり部と、前記長手部のスクリーン側の端部からＺ軸と垂直な方向に延びる折れ曲がり部とを有し、
前記フェライトコアの電子銃側端部およびスクリーン側端部に、複数の溝が放射状に設けられた円板状の保持部品が設けられており、前記凸部材の両端部の前記折れ曲がり部が、前記保持部品の溝にはめられて、前記凸部材が前記フェライトコアに固定されることを特徴とする請求項１に記載のカラー受像管装置。
【請求項３】
前記凸部材は、前記フェライトコアの内面のＺ軸と平行な領域と同等の長さを有する直線状の長手部と、前記長手部の電子銃側の端部からＺ軸と垂直な方向に延びる折れ曲がり部とを有し、
前記フェライトコアの電子銃側端部に、複数の溝が放射状に設けられた円板状の保持部品が設けられており、前記凸部材の前記折れ曲がり部が、前記保持部品の溝にはめられて、前記凸部材が前記フェライトコアに固定されることを特徴とする請求項１に記載のカラー受像管装置。
【発明の詳細な説明】
【０００１】
【発明の属する技術分野】
本発明は、テレビジョンやコンピュータディスプレイ等に用いられるカラー受像管装置に関し、偏向ヨークに用いる磁気コアの構造に関する。
【０００２】
【従来の技術】
図１１は、一般にスロットコアと呼ばれているフェライトコアのＺ軸と垂直な断面を示す。偏向ヨークのフェライトコア９の内面に、概ねＺ軸（中心０）に向かって突出する凸部２０を複数設けて、隣り合う凸部２０間の溝部に水平コイル６と垂直コイル７とを、絶縁スペーサ８を介して巻き線するものである。この技術は、実開昭６１−５６７５７号公報に開示されている。
【０００３】
スロットコアは、凸部が無い通常の偏向ヨークに比べ、フェライトコアを受像管に近づけることができるため、偏向感度の点で有利である。また、コイルに磁束が鎖交しにくくなり、渦電流損失が低減して偏向ヨークの発熱も低減できる。
【０００４】
【発明が解決しようとする課題】
しかしながら、上記従来技術のスロットコアでは凸部を有することにより、凸部が無い通常のフェライトコアよりも内面精度を確保することが困難であり、内面精度により決定される画像特性バラツキを生じやすいという問題点を有している。なぜならば、通常のフェライトコアの内面精度が単純に内面径の精度にのみ影響されるのに対し、スロットコアでは凸部の内面側端（先端）寸法、根元側寸法および凸部幅寸法がすべて内面精度として要求されるため、構造上バラツキの生じやすいものとなっているためである。さらに、通常のフェライトコアで可能な内面研磨による精度確保が、スロットコアでは凸部の耐研磨強度が十分でなく欠けが生じやすいため、内面研磨が非常に困難であることも内面精度を確保できない理由である。
【０００５】
本発明はこのような課題を解決するためになされたものであり、スロットコアにおいても通常のフェライトコアに近い内面精度を容易に実現でき、バラツキの少ない、低偏向電力、低発熱偏向ヨークを備えたカラー受像管を提供することを目的とする。
【０００６】
【課題を解決するための手段】
上記目的を達成するために本発明に係るカラー受像管装置は、内面に蛍光体スクリーン面が形成されたパネルとファンネルとが外囲器を構成し、前記ファンネルのネック部内に電子銃が設けられ、前記ファンネルの外面に偏向ヨークが設けられたカラー受像管装置であって、前記偏向ヨークは、Ｚ軸と垂直な断面の内面形状が円形であるフェライトコアと、前記フェライトコアに巻かれた水平コイルおよび垂直コイルと、前記水平コイルと垂直コイルとを絶縁するための絶縁体とを備えており、前記フェライトコアとは別部品である複数の凸部材が、Ｚ軸に向かって突出し、かつ、長手方向がＺ軸を含む平面に沿うように、前記フェライトコアの内面に面接触して固定されていることを特徴とするカラー受像管装置（請求項１）。
【０００７】
この構成によれば、フェライトコアと凸部材を別部材としたことにより、フェライトコアの内面を高精度に加工でき、スロットコアにおいても通常のフェライトコアに近い内面精度を容易に実現でき、低偏向電力、低発熱でバラツキの少ない偏向ヨークの提供が可能となる。
【０００８】
また、前記凸部材は、前記フェライトコアの内面に沿う長手部と、前記長手部の電子銃側の端部からＺ軸と垂直な方向に延びる折れ曲がり部と、前記長手部のスクリーン側の端部からＺ軸と垂直な方向に延びる折れ曲がり部とを有し、前記フェライトコアの電子銃側端部およびスクリーン側端部に、複数の溝が放射状に設けられた円板状の保持部品が設けられており、前記凸部材の両端部の前記折れ曲がり部が、前記保持部品の溝にはめられて、前記凸部材が前記フェライトコアに固定されることを特徴とする（請求項２）。
【０００９】
この構成により、フェライトコアと凸部材とを容易に固定することが可能となる。
【００１０】
また、前記凸部材は、前記フェライトコアの内面のＺ軸と平行な領域と同等の長さを有する直線状の長手部と、前記長手部の電子銃側の端部からＺ軸と垂直な方向に延びる折れ曲がり部とを有し、前記フェライトコアの電子銃側端部に、複数の溝が放射状に設けられた円板状の保持部品が設けられており、前記凸部材の前記折れ曲がり部が、前記保持部品の溝にはめられて、前記凸部材が前記フェライトコアに固定されることを特徴とする（請求項３）。
【００１１】
この構成によれば、凸部材は、曲線を含まない二つの直線部が直角につながった単純な形状で構成することができるため、製造が容易である。
【００１２】
【発明の実施の形態】
以下、本発明の実施の形態について、図面を用いて説明する。
【００１３】
（第１の実施の形態）
図１は、本発明のカラー受像管装置の側面図である。カラー受像管装置は、内面に蛍光体スクリーン面が形成された前面平面パネル１とファンネル２とが外囲器を構成し、ファンネル２のネック部内に電子銃３が設置され、ファンネル２の外面に偏向ヨーク４、コンバーゼンスヨーク５が装着される。
【００１４】
図２は、本発明に係る偏向ヨーク４の、フェライトコア９を含む領域におけるＺ軸と垂直な断面を示す。Ｘは水平軸を、Ｙは垂直軸をそれぞれ示し、両軸が交わる０において両軸と直角に交わる軸がＺ軸（管軸）である。偏向ヨーク４は、サドル型の水平コイル６、垂直コイル７、絶縁スペーサ８、フェライトコア９とを有する。フェライトコア９の内面には、Ｚ軸を含む平面に沿って、凸部材１１が等間隔で取り付けられている。凸部材１１は磁性体からなる。
【００１５】
図３は、フェライトコア９の、Ｚ軸とＹ軸とを含む平面での断面を示す（上側半分のみ図示）。フェライトコア９は、電子銃側からスクリーン側に向かうにつれ（Ｚ軸右に向かって）、内面の径が大きくなる形状をとる。電子銃側の端部から一定の長さの領域は、内径が同一である円筒部の領域である。本実施の形態のフェライトコア９では、フェライトコア９のＺ軸方向長４５ｍｍのうち２０ｍｍが円筒部領域１０である。
【００１６】
図４は、凸部材１１の側面を示す（参考のためＺ軸を図示）。凸部材１１は、フェライトコア９の内面に沿う長手部５１と、長手部５１の電子銃側の端部からＺ軸と垂直な方向に延びる折れ曲がり部１４と、長手部５１のスクリーン側の端部からＺ軸と垂直な方向に延びる折れ曲がり部１５とを有する。凸部材１１は、長手部５１がフェライトコア９のＺ軸方向長４５ｍｍの全領域の内面に沿うように、折れ曲がり部１４、１５が電子銃側端面およびスクリーン側端面に沿うように、フェライトコア９に取り付けられる。凸部材１１は、フェライトコア９と同一のＭｇ系フェライト材からなる。厚さ（フェライトコア９の円周方向の厚さ）は約２．５ｍｍである。外側の外曲面１２は、フェライトコア９の内面とほぼ同一の曲面である。内側の内曲面１３は、ファンネル２の外曲面とほぼ同一の曲面である。Ｚ軸方向長は、電子銃側もスクリーン側もフェライトコアよりそれぞれ５ｍｍずつ長い５５ｍｍである。
【００１７】
図２に示すように、凸部材１１は、フェライトコア９の内面に、Ｘ軸から特定角度ごとに、概ねＺ軸（０）に向かうように配置される。本実施の形態では、１８°間隔で合計２０個配置される。
【００１８】
図５は、フェライトコア９に凸部材１１を固定した様子を示す側面断面図である。図６は電子銃側から見た平面図を、図７はスクリーン側から見た平面図をそれぞれ示す。図５に示すように、フェライトコア９の内面に沿うように凸部材１１が組み合わされている。図６および図７に示すように、凸部材１１は、等間隔で放射状に配列されている。
【００１９】
また、図５〜７に示すように、フェライトコア９の電子銃側、スクリーン側のそれぞれの端部に、凸部材１１の位置を固定するための保持部品１６、１７を備える。保持部品１６、１７は樹脂製であり、フェライトコア９の端面とほぼ同一形状の円板状のものである。
【００２０】
図８は電子銃側の保持部品１６の平面図を、図９はスクリーン側の保持部品１７の平面図をそれぞれ示す。保持部品１６は溝１８を放射状に有し、この溝１８に凸部材１１の折れ曲がり部１４が挿入される。保持部品１７は溝１９を放射状に有し、この溝１９に凸部材１１の折れ曲がり部１５が挿入される。このように、溝に折れ曲がり部をはめ込むことにより、フェライトコア９に凸部材１１を固定する。凸部材１１の固定を強化補強するために、さらにフェライトコア９内面と凸部材１１との接触面に接着剤を用いるのが好ましい。
【００２１】
フェライトコア９の内面は、研磨により公差０．１５ｍｍを確保でき、さらに、別部品の凸部材１１も同じ交差０．１５ｍｍの部品であり、両者を組み合わせるための保持機構部品１６、１７の溝位置交差も０．１５ｍｍを確保できる。従来の凸部をもつスロットコアの寸法精度は、凸部の先端部と根元部ともに公差０．３ｍｍが限界であったが、本発明によればスロットコアではない通常のフェライトコアと同等の精度が確保できる。
【００２２】
（第２の実施の形態）
図１０は、本発明の第２の実施の形態に係る凸部材２１とフェライトコア９の側面断面図である。本実施の形態においては、凸部材２１を、フェライトコア９のＺ軸方向の一部、特に、フェライトコア９の円筒部の領域にのみ取り付けている。Ｚ軸と垂直な断面の形状は、図２と同様である。
【００２３】
図１０に示すように、凸部材２１は、曲線を含まない二つの直線部が直角につながった単純な形状であるため、第１の実施の形態と比較して安価に製作でき、スロットコアの製造コストを大きく増大させることがない。
【００２４】
本実施の形態においては、電子銃側にのみ位置固定用の保持機構部品１６を用いる。凸部材２１そのものが短いため、十分な固定が可能である。
【００２５】
上述の各実施の形態は、複数の凸部材１１または２１がすべて同じ形状である場合であるが、凸部材は必ずしも同じ形状である必要はない。例えば、Ｘ軸上に位置する凸部材１１または２１の径方向長さ（突出高さ）を、Ｙ軸上に位置する凸部材１１または２１の径方向長さより短くすることができる。
【００２６】
【発明の効果】
以上説明したように、本発明によれば、スロットコアにおいても通常のフェライトコアに近い内面精度を容易に実現でき、バラツキの少ない、低偏向電力、低発熱偏向ヨークを備えたカラー受像管を提供することができる。
【００２７】
また、凸部材を電子銃側の領域に限定する場合（第２の実施の形態）は、さらに上記効果に加え、コストパフォーマンスに優れたカラー受像管を提供することが可能になる。
【図面の簡単な説明】
【図１】カラー受像管の側面図
【図２】本発明に係る偏向ヨークのＺ軸と垂直な断面図
【図３】本発明に係るフェライトコアの側面断面図（上側半分）
【図４】本発明に係る凸部材の側面図
【図５】凸部材が装着されたフェライトコアの側面断面図
【図６】凸部材が装着されたフェライトコアの電子銃側から見た正面図
【図７】凸部材が装着されたフェライトコアのスクリーン側から見た正面図
【図８】電子銃側の保持部品の正面図
【図９】スクリーン側の保持部品の正面図
【図１０】本発明の第２の実施の形態に係る凸部材が装着されたフェライトコアの側面断面図
【図１１】従来のスロットコアを有する偏向ヨークのＺ軸と垂直な断面図
【符号の説明】
１　パネル
２　ファンネル
３　電子銃
４　偏向ヨーク
６　水平コイル
７　垂直コイル
８　絶縁スペーサ
９　フェライトコア
１０　円筒部領域
１１、２１　凸部材
１４、１５　折れ曲がり部
１６、１７　保持部品
１８、１９　溝
【図１】
2004014348.tif 000003
【図２】
2004014348.tif 000004
【図３】
2004014348.tif 000005
【図４】
2004014348.tif 000006
【図５】
2004014348.tif 000007
【図６】
2004014348.tif 000008
【図７】
2004014348.tif 000009
【図８】
2004014348.tif 000010
【図９】
2004014348.tif 000011
【図１０】
2004014348.tif 000012
【図１１】
2004014348.tif 000013